(57)【要約】【課題】内開き式の取出口扉を採用しながら、商品が取出口扉と排出口扉との間で突っ張った状態を解除することができて、商品を商品取出口から取り出すことができる自動販売機の商品取出口装置を提供する。【解決手段】取出口扉２０の回動軸２１よりも先端側に補助回動軸２４を設け、取出口扉２０の補助回動軸２４よりも先端部分である扉先端側部２３がこの補助回動軸２４を中心として回動自在に配設した。これにより、商品６が商品取出口８に払い出された際に、取出口扉２０と排出口扉１０や後面底部８ｆ近傍箇所との間で突っ張った状態で挟まれた場合でも、補助回動軸２４の箇所が奥側へ移動するように押込むことで、取出口扉２０の下端部よりも下方箇所に商品取出口８の前面開口部８ｋの隙間をつくり、商品６を取り出す。【選択図】図８
2007141201.tif 000002
【特許請求の範囲】
【請求項１】
外扉に設けられた商品取出口と、
庫内の商品収納部からの商品を商品取出口へ払い出すために内扉に開口させた商品排出口と、
この商品排出口を開閉する排出口扉と、
前記商品取出口の手前側上部に設けられた回動軸を中心として、前記商品取出口の前面開口部を閉鎖する閉姿勢から、この閉姿勢よりも商品取出口の奥側に回動した内開き姿勢にわたって回動されて、前記商品取出口の開口部を開閉する取出口扉と
を備えた自動販売機の商品取出口装置であって、
前記取出口扉の回動軸よりも先端側に補助回動軸を設け、
前記取出口扉を、前記回動軸から前記補助回動軸までの扉基部と、前記取出口扉の補助回動軸よりも先端側の扉先端側部とに分割し、
前記扉先端側部を、前記補助回動軸を中心として回動自在に配設したこと
を特徴とする自動販売機の商品取出口装置。
【請求項２】
取出口扉に、補助回動軸を中心として、扉先端側部が、扉基部に対して、奥側に折曲する側に回動されることを阻止するストッパを設けたこと
を特徴とする請求項１に記載の自動販売機の商品取出口装置。
【請求項３】
扉先端側部が扉基部よりも、大きく形成されていること
を特徴とする請求項２に記載の自動販売機の商品取出口装置。
【請求項４】
商品取出口の上部空間に、上方に設けられた回転支点を中心に揺動自在に防盗板を配設し、この防盗板が奥側に押されて回動されることで、前記排出口扉に当接して前記排出口扉が手前側に大きく開けられることを阻止するように構成し、
取出口扉における補助回動軸を、取出口扉の閉姿勢では防盗板の回転支点よりも下方に位置し、扉基部を奥側まで回動させた状態では防盗板の回転支点よりも上方まで回動自在となるように、配置したこと
を特徴とする請求項１〜３の何れか１項に記載の自動販売機の商品取出口装置。
【請求項５】
取出口扉の扉先端側部を、扉基部を奥側に押込んでいない状態では商品取出口の前面開口部より手前側へ回動できず、前記扉基部を奥側に押込んだ状態では前記商品取出口の前面開口部より手前側へ回動できるよう構成したこと
を特徴とする請求項１〜４の何れか１項に記載の自動販売機の商品取出口装置。
【請求項６】
取出口扉の扉先端側部の横幅を、商品取出口の前面開口部の横幅より小さくし、扉基部を奥側に押込んだ際に、前記取出口扉の扉先端側部を前記商品取出口の前面開口部より手前側へ回動できるよう構成したこと
を特徴とする請求項５に記載の自動販売機の商品取出口装置。
【請求項７】
取出口扉の扉先端側部の両側部にそれぞれ、柔軟な部材から形成される補助板を設けたこと
を特徴とする請求項５または請求項６に記載の自動販売機の商品取出口装置。
【請求項８】
取出口扉の扉基部の横幅を、商品取出口の前面開口部の横幅より大きくし、前記取出口扉の扉基部を前記商品取出口の前面開口部より手前側へ回動できないよう構成したこと
を特徴とする請求項５〜７の何れか１項に記載の自動販売機の商品取出口装置。
【発明の詳細な説明】
【技術分野】
【０００１】
本発明は自動販売機の商品取出口装置に関するものである。
【背景技術】
【０００２】
自動販売機の前面扉の下部などには商品が払い出される商品取出口が設けられており、この商品取出口には、商品取出口を通して自動販売機の内部にごみなどの異物が外から入り込まないように、取出口扉が設けられている。そして、商品取出口内に商品が払い出された後に、自動販売機の商品を購入した利用者が、この商品取出口の取出口扉を開けるとともに商品取出口内に手を差し込んで商品を取り出すように構成されている。
【０００３】
商品取出口に設けられる取出口扉は、利用者がこの取出口扉を自動販売機の奥側（内部側）に押込むように回動させながら開けて商品を取り出す形式の、いわゆる内開き式のものと、利用者がこの取出口扉を手前側（外部側）に開きながら、商品取出口内の商品を取り出す形式の、いわゆる外開き式のものとがあり、これらの取出口扉は、何れも、商品取出口の手前寄り上端部において左右に延びる回動支軸を中心として回動自在に配設されている。
【０００４】
内開き式の取出口扉を採用した自動販売機においては、利用者が片手で取出口扉を奥側に開けながら、その手で商品を取り出せる長所、すなわち、商品を片手だけで取り出せる利点がある。しかしながら、この種の内開き式の取出口扉を採用した自動販売機は、取出口扉を商品取出口内部に押込んで開ける構造であるので、取出口扉を開けようとした際に、商品が取出口扉の裏面に当接した状態で突っ張るなどして取出口扉が開け難くなることがないように、商品取出口の奥行方向のスペースを広めに設けることが望ましい。すなわち、商品取出口の奥行方向に対して十分なスペースが取れない場合には、商品の払出姿勢によっては、取出口扉の裏面に商品が当接して突っ張った状態となることがあり、この場合には、取出口扉を開けることができなくなるので、このようなことがないように、商品取出口の奥行方向のスペースを広めに設けていた。
【０００５】
しかしながら、このためには、商品取出口の前後方向スペースとして、大きなスペースを商品取出口内に設けなければならず、このように構成すると、自動販売機全体の設置スペースも前後方向に大きく必要となり、近年の、自動販売機の設置スペースの関係などから、薄型化を望まれている箇所に設置する自動販売機としては、対応し難くなってしまう。
【０００６】
これに対して、外開き式の取出口扉を採用した自動販売機においては、利用者が一方の手で取出口扉を手前側に開けながら、他方の手で商品を取り出す構成であるため、片方の手だけでは商品を取り出し難い短所があるものの、商品取出口内に取出口扉を回動させるためのスペースを必要とせず、自動販売機として薄型化を図りやすい長所がある。したがって、近年においては、たばこなどの比較的小さい商品を扱う自動販売機を除いて、殆ど外開き式の取出口扉が採用されている。
【０００７】
ところで、このように、外開き式の取出口扉を有している自動販売機においては、特許文献１等にも開示されているように、盗難を防止するための防盗板が配設されている。以下、図１９〜図２２を用いて、この防盗板を有する自動販売機について説明する。
【０００８】
この自動販売機は、図１９に示すように、商品６を冷却したり加温したりして販売可能な自動販売機であり、外扉１を開閉自在に支持する自動販売機本体２内に、断熱性を有する内扉３にてその前面開口部を開閉可能な断熱構造の庫内４空間が設けられており、庫内４に設けられた複数列の商品収納部５に缶などの商品６が多数収納されている。商品収納部５の下端部には、収納した商品６を順次払い出す払出装置７が配設され、この払出装置７にて払い出された商品６は、シュート１３により案内されて、内扉３の下部に設けられた商品排出口９を通して、外扉１の下部に設けられた商品取出口８に払い出される。前記商品排出口９は、内扉３内の商品収納部５からの商品６を商品取出口８へ払い出すために内扉３に開口されている。
【０００９】
内扉３の商品排出口９には下部側が手前に回動自在で、商品排出口９を開閉する、断熱性を有する排出口扉１０が設けられて、庫内４の温度調節された空気が外部にあまり漏れないように図られている。なお、１０ａは排出口扉１０の回転軸である。
【００１０】
そして、商品取出口８の上部空間に、盗難を防止するための防盗板１２が配設されている。すなわち、図２０に示すように、商品取出口８の前面に設けられている商品６の取出口扉１１に加えて、取出口扉１１よりも奥側の箇所に、前記防盗板１２が、上方の支点１２ａを中心に揺動自在（下方側が回動自在）に支持されて配設されている。
【００１１】
この防盗板１２は、商品６が商品収納部５から払い出されて、シュート１３を介して商品排出口９側に排出される場合には、図２１に示すように、排出口扉１０に当接して若干手前側に回動することにより、排出口扉１０が手前側に回動することを許容して、商品６が商品取出口８内に支障をきたすことなく排出されるように構成されるとともに、利用者が商品取出口８へ払い出された商品６を掴もうとしたときには、防盗板１２が利用者の手に押されて排出口扉１０へ回動し、支障無く、商品を取り出せるようになっている。一方、盗難を目的とした者などが、商品取出口８内に手を突っ込むと、図２２に示すように、この手に防盗板１２が当接して奥側に回動し、防盗板１２の先端が排出口扉１０に当接し、この防盗板１２により排出口扉１０が手前側に開けられることを阻止されるよう構成されている。このように、防盗板１２は、盗難を目的とした者などが商品取出口８内に手を突っ込んだ場合でも、排出口扉１０が手前側に開けられないように構成することで、商品排出口９よりも内部へ手を入れて商品６を取り出すことを阻止でき、防盗の役目を果している。
【特許文献１】特開２００２−２４５５２４号公報
【発明の開示】
【発明が解決しようとする課題】
【００１２】
ところで、近年、自動販売機においても、年齢や障害の有無にかかわらず、できるだけ利用し易いものが求められており、その趣旨を含むものとして、片手だけでも利用可能な自動販売機の要望がより大きくなってきた。
【００１３】
しかしながら、図２３、図２４に示すように、内開き式の取出口扉１１を採用しながら、商品取出口８の箇所の奥行方向に対する薄型化を図ろうとすると、図２５に示すように、商品６が、商品取出口８の奥行方向に沿うように平面視して縦向きに払い出された場合に、この商品６が取出口扉１１に裏面側から当接するとともに、商品６が取出口扉１１と排出口扉１０や商品取出口８の後面底部近傍箇所との間で突っ張った状態で挟まってしまい、取出口扉１１が開けられないという不具合が生じてしまう。
【００１４】
また、防盗性を向上させるために、防盗板１２を設けると、図２６に示すように、取出口扉１１と商品６との間に防盗板１２が介在した状態で商品６が挟まってしまい、さらに取出口扉１１を開け難い状態となってしまう不具合があった。
【００１５】
本発明は上記課題を解決するもので、内開き式の取出口扉を採用しながら、商品が取出口扉と排出口扉との間で突っ張った状態を解除することができて、商品を商品取出口から確実に取り出すことができる自動販売機の商品取出口装置を提供することを目的とするものである。
【課題を解決するための手段】
【００１６】
上記課題を解決するために本発明は、外扉に設けられた商品取出口と、庫内の商品収納部からの商品を商品取出口へ払い出すために内扉に開口させた商品排出口と、この商品排出口を開閉する排出口扉と、前記商品取出口の手前側上部に設けられた回動軸を中心として、前記商品取出口の前面開口部を閉鎖する閉姿勢から、この閉姿勢よりも商品取出口の奥側に回動した内開き姿勢にわたって回動されて、前記商品取出口の開口部を開閉する取出口扉とを備えた自動販売機の商品取出口装置であって、前記取出口扉の回動軸よりも先端側に補助回動軸を設け、前記取出口扉を、前記回動軸から前記補助回動軸までの扉基部と、前記取出口扉の補助回動軸よりも先端側の扉先端側部とに分割し、前記扉先端側部を、前記補助回動軸を中心として回動自在に配設したことを特徴とする。
【００１７】
この構成により、取出口扉は回動軸を中心として内開き姿勢に回動できるため、商品が正常な姿勢（取出口扉と商品取出口の後面底部近傍箇所や排出口扉との間に挟まれた異常姿勢でない状態の姿勢）で商品取出口に払い出された場合には、取出口扉を内側に開いて商品を取り出すことができる。また、商品が商品取出口に払い出された際に、取出口扉の裏面側部分と排出口扉や商品取出口の後面底部近傍箇所などとの間で突っ張った状態で挟まれた場合には、補助回動軸の箇所が奥側へ移動するように利用者が手で押込むことで、取出口扉の下端部を商品取出口の開口部に沿うように上方に移動させることができ、これにより取出口扉の下端部よりも下方箇所に商品取出口の開口部の隙間ができる。したがって、この隙間より手を商品取出口内部に差し込んで商品の姿勢を突っ張った状態から変更することができ、これにより、取出口扉を奥側に回動させることができて商品を取り出せる。
【００１８】
また、本発明は、取出口扉に、補助回動軸を中心として、扉先端側部が、扉基部に対して、奥側に折曲する側に回動されることを阻止するストッパを設けたことを特徴とする。
この構成により、商品取出口内に商品が正常な姿勢で払い出され、利用者が取出口扉の扉先端側部を奥側（内側）に押込んだ際に、ストッパが扉基部の裏面に当接して、扉先端側部だけでなく、扉基部も回動軸を中心として奥側に回動する。この結果、商品取出口の開口部全体が大きく開かれ、商品を取り出し易くなる。
【００１９】
また、本発明は、扉先端側部が扉基部よりも、大きく形成されていることを特徴とする。
この構成により、利用者が取出口扉を手で開ける際に、取出口扉の扉先端側部に手を当て易くなり、扉先端側部を奥側に回動させることで、ストッパの機能により取出口扉全体が奥側に回動することとなる。
【００２０】
また、本発明は、商品取出口の上部空間に、上方に設けられた回転支点を中心に揺動自在に防盗板を配設し、この防盗板が奥側に押されて回動されることで、前記排出口扉に当接して前記排出口扉が手前側に大きく開けられることを阻止するように構成し、取出口扉における補助回動軸を、取出口扉の閉姿勢では防盗板の回転支点よりも下方に位置し、扉基部を奥側まで回動させた状態では防盗板の回転支点よりも上方まで回動自在となるように、配置したことを特徴とする。
【００２１】
この構成により、防盗板を設けて防盗性能を向上できながら、防盗板が設けられている構成において、商品が取出口扉の裏面側部分と排出口扉や商品取出口の後面底部近傍箇所などとの間で突っ張った状態で挟まれた場合でも、扉基部が奥側となるように回動させることで、扉先端側部を上方により大きく移動でき、防盗板が設けられている場合でも、支障無く、商品取出口の開口部の下方寄り部分を開口させて、商品を取り出すことができる。
【００２２】
また、本発明は、取出口扉の扉先端側部を、扉基部を奥側に押込んでいない状態では商品取出口の前面開口部より手前側へ回動できず、前記扉基部を奥側に押込んだ状態では前記商品取出口の前面開口部より手前側へ回動できるよう構成したことを特徴とする。
【００２３】
この構成により、扉基部を奥側に押込んでいない状態では、取出口扉の扉先端側部は商品取出口の前面開口部より手前側へ回動できないことで、販売待機状態では、取出口扉は商品取出口の前面開口部の内側に位置し、利用者は取出口扉を内開き形式の取出口扉として理解でき、外開き形式と誤って認識することを防止できる。また商品が取出口扉の裏面側部分と排出口扉や商品取出口の後面底部近傍箇所などとの間で突っ張った状態で挟まれた場合には、扉基部を奥側に押込んで、取出口扉の扉先端側部を商品取出口の前面開口部より手前側へ回動させることで、商品取出口の前面開口部の下方部分を大きく開口でき、商品を容易に取り出すことができる。
【００２４】
また、本発明は、取出口扉の扉先端側部の横幅を、商品取出口の前面開口部の横幅より小さくし、扉基部を奥側に押込んだ際に、前記取出口扉の扉先端側部を前記商品取出口の前面開口部より手前側へ回動できるよう構成したことを特徴とする。
【００２５】
この構成により、取出口扉の扉先端側部を商品取出口の前面開口部より手前側へ回動させることができ、商品を容易に取り出すことができる。
また、本発明は、取出口扉の扉先端側部の両側部にそれぞれ、柔軟な部材から形成される補助板を設けたことを特徴とする。
【００２６】
この構成により、取出口扉の扉先端側部の両側部にそれぞれ柔軟な部材から形成される補助板を設けることで、利用者が取出口扉の扉先端側部を閉じたときに、扉先端側部と商品取出口の前面開口部の縁との間に指を挟んで痛めてしまう恐れを回避できる。また販売待機状態で、補助板により扉先端側部と商品取出口の前面開口部との間の隙間を最小限に抑え、あるいは覆ったりできることで、前記隙間から商品取出口にごみやほこりや雨が入ることを防止することができる。
【００２７】
また、本発明は、取出口扉の扉基部の横幅を、商品取出口の前面開口部の横幅より大きくし、前記取出口扉の扉基部を前記商品取出口の前面開口部より手前側へ回動できないよう構成したことを特徴とする。
【００２８】
この構成により、取出口扉の扉先端側部を手前側へ回動したときでも、取出口扉の扉基部がともに手前側へ回動されないことで、利用者は、取出口扉を内開き形式の取出口扉として理解できる。
【発明の効果】
【００２９】
以上のように本発明によれば、片手で商品を取り出せる利点がある内開き式の自動販売機として、自動販売機の薄型化のために商品取出口の奥行寸法を小さめにし、この結果、商品が商品取出口に払い出された際に、取出口扉の裏面側部分と排出口扉や商品取出口の後面底部近傍箇所などとの間で突っ張った状態で挟まれることがあった場合でも、商品の姿勢を突っ張った状態から変更することができて、商品を取り出せる。
【００３０】
また、取出口扉に、補助回動軸を中心として、扉先端側部が扉基部に対して、奥側に折曲する側に回動されることを阻止するストッパを設けたことにより、利用者が取出口扉の扉先端側部を奥側（内側）に押込んだ際に、取出口扉全体が奥側に回動することとなって、商品取出口の開口部全体が大きく開かれ、商品が取り出し易くなり、利便性が向上する。
【００３１】
また、防盗板を配設し、取出口扉における補助回動軸を、取出口扉の閉姿勢では防盗板の回転支点よりも下方に位置し、扉基部を奥側まで回動させた状態では防盗板の回転支点よりも上方まで回動自在となるように、配置したことにより、防盗板を設けて防盗性能を向上できながら、支障無く、商品取出口の開口部の下方寄り部分を開口させて、商品を取り出すことができる。
【００３２】
また、取出口扉の扉先端側部を、扉基部を奥側に押込んでいない状態では商品取出口の前面開口部より手前側へ回動できないよう構成したことにより、販売待機状態では、取出口扉は商品取出口の前面開口部の内側に位置し、利用者は取出口扉を内開き形式の取出口扉として理解でき、外開き形式と誤って認識することを防止できる。また前記扉基部を奥側に押込んだ状態では前記商品取出口の前面開口部より手前側へ回動できるよう構成したことにより、商品が取出口扉の裏面側部分と排出口扉や商品取出口の後面底部近傍箇所などとの間で突っ張った状態で挟まれた場合でも、取出口扉の扉先端側部を商品取出口の前面開口部より手前側へ回動させることで、商品取出口の前面開口部の下方部分を大きく開口でき、商品を容易に取り出すことができる。
【００３３】
また、取出口扉の扉先端側部の両側部にそれぞれ柔軟な部材により形成される補助板を設けることで、商品の利用者が手前側に回動した取出口扉の扉先端側部を閉じたときに、扉先端側部と商品取出口の前面開口部の縁との間に、指を挟んで痛めてしまう恐れを回避できる。また販売待機状態で、補助板により扉先端側部と商品取出口の前面開口部との間の隙間を最小限に抑え、あるいは覆ったりできることで、前記隙間から商品取出口にごみやほこりや雨が入ることを防止することができる。
【発明を実施するための最良の形態】
【００３４】
以下、本発明の実施の形態を図面に基づき説明する。
［実施の形態１］
図１は、本発明の実施の形態１に係る自動販売機の全体側面断面図である。なお、本発明の自動販売機における、従来の自動販売機と異なる点は、商品取出口装置の構造（この実施の形態では配設位置も異なる）だけであるので、この点につき詳しく説明し、従来の自動販売機と同機能のものには同符号を付してその説明は省略する。
【００３５】
図１に示すように、本実施の形態においては、商品取出口８が、従来の自動販売機よりも少し上方寄り（すなわち、高さ方向中央寄り）の高さに配設され、商品６の取り出し易さが向上するよう図られている。なお、本発明はこの配置に限定されるものではなく、従来と同様に外扉１の下端部寄りに配置してもよいことはもちろんであり、今回の発明として、商品取出口装置の配設位置については本質的には係わりが無い。
【００３６】
また自動販売機本体２に開閉自在に取り付けられた外扉１の前面には、図２に示すように、販売する複数の商品サンプル３１、各商品サンプル３１に対応して配置された商品選択ボタン３２、商品６を購入するときに硬貨を投入する硬貨投入口３３、同じく紙幣を投入する紙幣投入口３４、利用者が投入したコインなどの金額を表示する投入金額表示部３５、釣銭や投入金を返却させるための返却レバー３６、コイン返却口３７が設けられ、また外扉１の前面に上記商品取出口の前面開口部８ｋが開いている。
【００３７】
図３から図５に示すように、従来の自動販売機と同様に、内扉３の商品排出口９には下部側が手前に回動自在で断熱性を有し、商品排出口９を開閉する排出口扉１０が設けられて、庫内４の温度調節された空気が外部にあまり漏れないように図られている。
【００３８】
本発明では、手前側から奥側に回動させる、いわゆる内開き式の取出口扉２０が設けられている。この取出口扉２０は、商品取出口８の手前側上端部に配設された回動軸２１を中心として、商品取出口９の前面開口部８ｋを閉鎖する閉姿勢（図３参照）から、この閉姿勢よりも商品取出口９の奥側に回動した内開き姿勢（図５等参照）にわたって回動される。そして特に、この取出口扉２０は、図３に示す閉姿勢において上側、すなわち回動軸２１を中心とした半径方向に対して基部側となる扉基部２２と、閉姿勢において下側、すなわち回動軸２１を中心とした半径方向に対して先端側となる扉先端側部２３とに、二分割されている。そして、扉基部２２と扉先端側部２３とは、これらの間に介装された補助回動軸２４を介して回動自在に連結されており、扉先端側部２３が扉基部２２よりも大きく｛具体的には、回動軸２１を中心とした半径方向に対する、扉基部２２の長さ（すなわち回動軸２１から補助回動軸２４までの長さ）よりも扉先端側部２３の長さ（すなわち補助回動軸２４から先の長さ）が大きく｝形成されている。また取出口扉２０の扉先端側部２３の横幅は、商品取出口の前面開口部８ｋの横幅より大きくされており、扉基部２２を奥側に押込んでも、商品取出口の前面開口部８ｋより手前側へ回動できない構成とされている。
【００３９】
なお、この実施の形態においては、扉基部２２の上端部が両側方に突出する形状に一体形成されて回動軸２１をなしており、この回動軸２１の両端部が、商品取出口８の両側の側壁面８ａにおける手前側上部に形成された丸孔８ｂに嵌め込まれて回動自在に支持されている。また、扉基部２２の下端部（回動軸２１が形成されている側と反対の箇所）には左右に対して適当間隔毎にカール部２２ｂ（図３（ｂ）参照）が一体形成され、また、扉先端側部２３の上端部において左右に延びる筒状部２３ａが左右方向適当間隔毎に一体形成され、これらの扉基部２２のカール部２２ｂと扉先端側部２３の筒状部２３ａとが側面視して重なるように配置された状態でこれらを通して補助回動軸２４が挿通されて、回動自在に連結されている。
【００４０】
また、この自動販売機の商品取出口８においても防盗板１２が設けられている。図３に示すように、防盗板１２はその上端部が、両側方に突出する形状に一体形成されて回転支点２５とされ、商品取出口８の両側の側壁面８ａにおける上部における前後方向中間部に形成された支持用孔８ｃに前記回転支点２５が挿入されて回転自在に支持されている。すなわち、防盗板１２の回転支点２５は、取出口扉２０の回動軸２１よりも下方位置に配設されている。また、取出口扉２０における扉基部２２と扉先端側部２３とを連結する補助回動軸２４は、図３に示すように、閉姿勢では防盗板１２の回転支点２５よりも下方に位置し、この閉姿勢よりも奥側に回動させた際に、図５に示すように、回転支点２５に接近し、さらに、奥側に回動させた内開き姿勢では、図８に示すように、防盗板１２の回転支点２５よりも上方まで回動自在となるような位置に配設されている。
【００４１】
また、扉先端側部２３における筒状部２３ａの一部には、取出口扉２０が閉姿勢である際に、扉基部２２の下端部に後方から当接する突起状のストッパ２６が一体形成されており、このストッパ２６により、補助回動軸２４を中心として、取出口扉２０の扉先端側部２３が扉基部２２に対して、奥側（より正確には、図３におけるＸ方向）に折曲されることを阻止し、手前側（より正確には、図３におけるＹ方向）のみ折曲可能にするよう構成されている。なお、この実施の形態では、扉先端側部２３が、扉基部２２に対して、この扉基部２２を補助回動軸２４から延長した線よりも、奥側（より正確には、図３におけるＸ方向）に折曲されることを阻止し、手前側（より正確には、図３におけるＹ方向）のみ折曲可能にするよう構成されている。
【００４２】
なお、図３における２７は、取出口扉２０が閉姿勢である際にこの取出口扉２０の下端部が当たるように設けられた当接突条部、２８は、この当接突条部２７の下方において手前側が下方となる姿勢に傾斜して形成されて、取出口扉２０に雨などがかかった際に、取出口扉２０の表面側をつたって流れ落ちる水滴を導いて、図示しない孔部などを通して外部に排出する樋部である。また、商品取出口８の下部には、商品取出口８の底面部８ｄから上方に少し浮かせた姿勢で、下方に湾曲して窪む商品受けシート１４が配設され、商品排出口９を通して商品取出口８内に商品６が払い出された際に前記商品受けシート１４により、落下時の衝撃を和らげるとともにその際の衝撃音も抑えるよう図られている。
【００４３】
上記構成において、図４、図５に示すように、商品排出口９を通して商品取出口８内に商品６が正常な姿勢（例えば、缶などの商品６がその軸心Ｏが左右に沿う向きとなる姿勢）で払い出された場合には、利用者が取出口扉２０の扉先端側部２３を奥側（内側）に押込むことにより、扉先端側部２３が補助回動軸２４を中心として回動しようとする。この際に、ストッパ２６が扉基部２２の裏面に当接して、扉先端側部２３だけでなく、扉基部２２も回動軸２１を中心として奥側に回動するため、実際には、取出口扉２０全体が回動軸２１を中心として奥側（内側）に回動することとなる。この結果、商品取出口８の開口部８ｋ全体が大きく開かれ、商品６を取り出し易くなり、利便性が向上する。また、取出口扉２０が内開き式であるので、片手で取出口扉２０を開けるとともに商品６を取り出すことができる。
【００４４】
つまり、図６に示すように、ストッパ２６が設けられていないと、利用者が取出口扉２０を開けようとしても、扉先端側部２３だけが補助回動軸２４を中心として回動し、扉基部２２は回動しないため、商品取出口８の開口部８ｋにおける下半部だけしか開けられないこととなり、商品６を取り出し難くなるが、本発明によれば、ストッパ２６が設けられているので、このような不具合がない。
【００４５】
また、本実施の形態１では、商品６が正常な姿勢で払い出された場合には、取出口扉２０全体が図５に示すように一直線になった状態で回動されるため、利用者は、取出口扉２０が二分割されていることを意識せずに、良好に商品６を取り出すことができる。
【００４６】
また、上記実施の形態１によれば、商品取出口８の奥行方法長さを小さくしたので自動販売機としても薄型化を図ることができる。しかしながら、このように商品取出口８の奥行方法長さを小さくしたので、場合によっては、図７に示すように、商品６が商品取出口８に払い出された際に、商品６の軸心Ｏが商品取出口８の奥行方向に沿うように平面視して縦向きに払い出されて、商品６が、取出口扉２０の扉先端側部２３や防盗板１２の裏面部分と、排出口扉１０や商品取出口８の後面底部８ｆとの間で突っ張った状態で挟まれた状態となることがある。
【００４７】
この場合には、取出口扉２０全体を奥側（内側）に押し開こうとしても、商品６が突っ張っており、取出口扉２０が開き難い。しかしながら、扉先端側部２３の上部寄り箇所を少し上方にも力を入れながら奥側に押すことで、補助回動軸２４を介して扉基部２２が奥側に回動し、これに伴って、扉先端側部２３が防盗板１２により案内されながら、上方に移動する。これにより、図８に示すように、商品取出口８における開口部８ｋの下部があいた状態となるので、この開口部８ｋから商品取出口８内に手を差し込んで商品６を正常な姿勢に直す。この結果、図５に示すように、取出口扉２０を支障無く奥側（内側）に押し開くことができる状態となるので、取出口扉２０を押し開いて商品６を取り出すことができる。なお、上記においては、図７に示すような状況から、利用者により扉先端側部２３の上部寄り箇所を奥側に押す場合を説明したが、これに限るものではなく、利用者により扉先端側部２３を斜め上方に直接移動させてもよい。また、この場合に、片手で取出口扉２０を押し開きながら、もう一方の手を、開口部８ｋから商品取出口８内に差し込んで商品６を正常な姿勢に直してもよいが、これに限るものではなく、片方の手だけを用いる場合には、その手の甲で取出口扉２０を押し上げながら、その手の先を開口部８ｋから商品取出口８内に差し込んで商品６を正常な姿勢に直すことも可能である。
【００４８】
このように、商品６が取出口扉２０と排出口扉１０との間で突っ張った状態で挟まれた状態となった場合でも、多少の手間はかかるものの、商品６の姿勢を直すことができて、商品６を取り出すことができる。なお、この際の作業については、両手で行うほうが行いやすいが、人差し指や中指、薬指などで扉先端側部２３を移動させながら、親指を商品取出口８の開口部８ｋの内部に差し入れて商品６の姿勢を変更させることが可能である。
【００４９】
また、上記構成によれば、扉基部２２よりも扉先端側部２３が大きく形成されているので、利用者が取出口扉２０を手で開ける際に、取出口扉２０の扉先端側部２３に手を当て易くなり、利便性が向上する。
【００５０】
また、取出口扉２０における補助回動軸２４の位置を、図３に示すように、閉姿勢では防盗板１２の回転支点２５よりも下方に位置し、扉基部２２を奥側まで回動させたでは防盗板１２の回転支点２５よりも上方まで回動自在となるように、配置したことにより、防盗板１２が設けられているので、防盗性能を向上させることができながら、商品６が取出口扉２０や防盗板１２の裏面側部分と排出口扉１０や商品取出口８の底面後部８ｆとの間で突っ張った状態で挟まれた場合でも、商品取出口８の開口部８ｋの下部が大きく開くように、扉先端側部２３を移動させることができ、これにより利便性も向上する。
【００５１】
なお、図９（ａ）、（ｂ）に示すように、取出口扉２０における扉先端側部２３の先端部（閉姿勢で下端となる箇所）を手前に膨出させ、この裏面に補強材２９を取付けてもよく、これによれば、扉先端側部２３としての強度が向上するとともに、図１０に示すように、前記膨出部２３ｂに利用者が手を掛けて扉先端側部２３を押しやすくすることができ、また商品６が取出口扉２０と排出口扉１０との間で突っ張った状態で挟まれた状態となった場合でも、図１１に示すように、前記膨出部２３ｂに利用者が手を掛けて、扉先端側部２３を上方に移動させ易くなるので、さらに利便性が向上する。
［実施の形態２］
本発明の実施の形態２では、上記実施の形態１における取出口扉２０の形態を変えている。
【００５２】
すなわち、図１２および図１３に示すように、取出口扉２０の扉先端側部２３の横幅（横方向の寸法）Ｌ１を、商品取出口の前面開口部８ｋの横幅（横方向の寸法）Ｌより小さくしている（Ｌ１＜Ｌ）。なお、扉先端側部２３の縦幅（縦方向の寸法）は、実施の形態１と同じであり、図１４に示すように、その下端は、商品取出口の前面開口部８ｋの下端より下側に位置している。この扉先端側部２３の構成により、取出口扉の扉先端側部２３を、扉基部２２を奥側に押込んでいない状態では商品取出口の前面開口部８ｋより手前側へ回動できず、すなわち販売待機状態では、取出口扉２０は商品取出口の前面開口部８ｋの内側に位置しており、また図１５に示すように、扉基部２２を奥側に押込んだ状態では商品取出口の前面開口部８ｋより手前側へ回動できるよう構成されている。
【００５３】
また取出口扉の扉基部２２の横幅（横方向の寸法）Ｌ２を、商品取出口の前面開口部８ｋの横幅（横方向の寸法）Ｌより大きくして（Ｌ２＞Ｌ）、取出口扉の扉基部２２を商品取出口の前面開口部８ｋより手前側へ回動できないよう構成している。
【００５４】
さらに実施の形態２では、取出口扉の扉先端側部２３を、商品取出口の前面開口部８ｋの横幅より横幅を小さくした、硬い透明な板材（硬質部材）から形成される扉先端側部本体４０と、扉先端側部本体４０の両側部２３ｃ，２３ｄにそれぞれ設けた補助板４２から構成している。前記補助板４２は、扉先端側部本体４０の横幅を商品取出口の前面開口部８ｋの横方向の寸法Ｌより小さくしたことにより生じる、商品取出口の前面開口部８ｋと取出口扉の扉先端側部本体４０との間の左右の隙間４１を塞ぐとともに、商品６の利用者が手前側に回動した取出口扉の扉先端側部２３を閉じたときに、扉先端側部２３と商品取出口の前面開口部８ｋの縁との間に、指を挟んで痛めてしまう恐れを回避できるよう柔軟な部材（軟質部材）から形成されている。また補助板４２の横幅を、扉先端側部２３を手前側へ回動できるように扉先端側部２３の横幅Ｌ１を商品取出口の前面開口部８ｋの横幅Ｌより小さく限定する寸法としている。また取出口扉の扉先端側部本体４０の両側部４０ｃ，４０ｄにはそれぞれ上下方向に複数のカール部４０ｅが設けられ、補助板４２の一側端には上下方向に筒状部４２ａが形成されており、補助板４２の筒状部４２ａをカール部４０ｅに押し込むことで、補助板４２が扉先端側部本体４０の両側部４０ｃ，４０ｄにそれぞれ固定されている。なお、これら扉先端側部本体４０と補助板４２の縦幅（縦方向の長さ）は、扉基部２２を奥側に押込んでいない状態で、その下端が、商品取出口の前面開口部８ｋの下端より下方に位置する長さとなっている。
【００５５】
また実施の形態２では、図１４に示すように、防盗板１２の回転支点２５を、取出口扉の回転軸２１と略同じ高さとし、防盗板１２を曲がり形状としている。防盗板１２の曲がり点１２ｂは、図１５に示すように、取出口扉２０を奥側に回動させた内開き姿勢としたとき、補助回動軸２４が移動する箇所に合わせて設けられており、内開き姿勢としたとき、防盗板１２に触れないようにしている。
【００５６】
上記構成において、商品６が正常な姿勢で払い出された場合には、実施の形態１と同様に、取出口扉２０全体がストッパ２６の作用により一直線になった状態で回動されるため、利用者は、取出口扉２０が二分割されていることを意識せずに、良好に商品６を取り出すことができる。
【００５７】
また図１６に示すように、商品６が商品取出口８に払い出された際に、商品６の軸心Ｏが商品取出口８の奥行方向に沿うように平面視して縦向きに払い出されて、商品６が、取出口扉２０の扉先端側部２３や防盗板１２の裏面部分と、排出口扉１０や商品取出口８の後面底部８ｆとの間で突っ張った状態で挟まれた状態となることがある。このとき、図１５に示すように、実施の形態１と同様に、扉先端側部２３の上部寄り箇所を少し上方にも力を入れながら奥側に押すことで、補助回動軸２４を介して扉基部２２が奥側に回動し、これに伴って、扉先端側部２３が防盗板１２により案内されながら、上方に移動し、商品取出口８における開口部８ｋの下部があいた状態となるので、この開口部８ｋから商品取出口８内に手を差し込んで商品６を正常な姿勢に直すことができ、この結果、取出口扉２０を支障無く奥側（内側）に押し開くことができる状態となるので、取出口扉２０を押し開いて商品６を取り出すことができる。
【００５８】
また実施の形態２によれば、上記のように、商品６が、取出口扉２０の扉先端側部２３や防盗板１２の裏面部分と、排出口扉１０や商品取出口８の後面底部８ｆとの間で突っ張った状態で挟まれた状態となったとき、図１７に示すように、取出口扉の扉先端側部２３を商品取出口の前面開口部８ｋより手前側へ回動させることができる。このとき、補助板４２は軟質部材で形成されているため、取出口扉の扉先端側部２３を手前側へ回動できる。
【００５９】
このように扉先端側部２３を手前側へ回動すると、防盗板１２が手前側へ回動し、商品６が挟まれた状態から開放され、商品取出口８の底面部８ｄへ落下し、かつ前面開口部８ｋの下部が大きく開いた状態となるので、図１８に示すように、この前面開口部８ｋから商品取出口８内に手を差し込んで商品６を正常な姿勢に直すことができ、商品６を容易に取り出すことができる。
【００６０】
以上のように、実施の形態２によれば、扉先端側部２３を、扉基部２２を奥側に押込んだ状態で商品取出口の前面開口部８ｋより手前側へ回動できるよう構成していることにより、商品６が、取出口扉２０の扉先端側部２３や防盗板１２の裏面部分と、排出口扉１０や商品取出口８の後面底部８ｆとの間で突っ張った状態で挟まれた状態でも、取出口扉の扉先端側部２３を商品取出口の前面開口部８ｋより手前側へ回動させることで、商品６を容易に取り出すことができる。また、扉先端側部２３を、扉基部２２を奥側に押込んでいない状態で商品取出口の前面開口部８ｋより手前側へ回動できない構成としていることにより、販売待機状態では、取出口扉２０は商品取出口の前面開口部８ｋの内側に位置し、利用者は取出口扉２０を内開き形式の取出口扉として理解でき、外開き形式と誤って認識することを防止できる。
【００６１】
また、実施の形態２によれば、取出口扉の扉先端側部２３を構成する扉先端側部本体４０の両側部４０ｃ，４０ｄにそれぞれ、商品取出口の前面開口部８ｋと取出口扉の扉先端側部本体４０と間の左右の隙間４１を塞ぐとともに、扉先端側部２３を手前側へ回動できるよう軟質部材から形成される補助板４２を設けたことにより、前記隙間４１を塞ぎ、販売待機状態で、取出口扉の扉先端側部２３と商品取出口の前面開口部８ｋとの間の隙間を最小限に抑えることができ、商品取出口８にごみやほこりや雨が入ることを防止できるとともに、取出口扉の扉先端側部２３を手前側に回動することを可能とし、かつ商品６の利用者が手前側に回動した取出口扉の扉先端側部２３を閉じたときに、扉先端側部２３と商品取出口の前面開口部８ｋの縁との間に、指を挟んで痛めてしまう恐れを回避できる。
【００６２】
また、実施の形態２によれば、取出口扉の扉基部２２の横方向の寸法Ｌ２を、商品取出口の前面開口部８ｋの横方向の寸法Ｌより大きくし、取出口扉２０の扉先端側部２３を商品取出口の前面開口部８ｋより手前側へ回動したときでも、取出口扉２０の扉基部２２がともに手前側へ回動されないことにより、利用者は、取出口扉２０を内開き形式の取出口扉として理解できる。
【００６３】
なお、実施の形態２において、補助板４２の横幅を、扉先端側部２３の横幅Ｌ１を商品取出口の前面開口部８ｋの横幅Ｌより小さく限定する寸法としているが、補助板４２は軟質部材で形成されていることにより、商品取出口の前面開口部８ｋの左右の縁部にかかるような幅とすることも可能である。このとき、補助板４２は軟質部材で形成されていることにより、取出口扉の扉先端側部２３を手前側に回動することが可能であり、また販売待機状態で、取出口扉の扉先端側部２３と商品取出口の前面開口部８ｋとの間の隙間を覆ってしまうことができ、商品取出口８にごみやほこりや雨が入ることを防止できる。
【図面の簡単な説明】
【００６４】
【図１】本発明の実施の形態１に係る自動販売機の全体側面断面図である。
【図２】同自動販売機の正面図である。
【図３】同自動販売機の商品取出口装置の側面断面図で、取出口扉を閉鎖した状態を示す。
【図４】同自動販売機の商品取出口装置の側面断面図で、商品が商品取出口に払い出された状態を示す。
【図５】同自動販売機の商品取出口装置の側面断面図で、商品を商品取出口から取り出す状態を示す。
【図６】同自動販売機の商品取出口装置の比較例を示す側面断面図である。
【図７】同自動販売機の商品取出口装置の側面断面図で、商品が取出口扉と商品取出口の後面底部近傍箇所との間で突っ張った状態で挟まれた状態を示す。
【図８】同自動販売機の商品取出口装置の側面断面図で、取出口扉の扉先端側部を上方へ移動させた状態を示す。
【図９】本発明の実施の形態１の他の形態に係る自動販売機の商品取出口装置の側面断面図で、取出口扉を閉鎖した状態を示す。
【図１０】同自動販売機の商品取出口装置の側面断面図で、商品を商品取出口から取り出す状態を示す。
【図１１】同自動販売機の商品取出口装置の側面断面図で、取出口扉の扉先端側部を上方へ移動させた状態を示す。
【図１２】本発明の実施の形態２に係る自動販売機の正面図である。
【図１３】同自動販売機の商品取出口装置の正面図である。
【図１４】同自動販売機の商品取出口装置の側面断面図で、取出口扉を閉鎖した状態を示す。
【図１５】同自動販売機の商品取出口装置の側面断面図で、取出口扉の扉先端側部を奥側上方へ移動させた状態を示す。
【図１６】同自動販売機の商品取出口装置の側面断面図で、商品が取出口扉と商品取出口の後面底部近傍箇所との間で突っ張った状態で挟まれた状態を示す。
【図１７】同自動販売機の商品取出口装置の側面断面図で、取出口扉の扉先端側部を手前側上方へ移動させた状態を示す。
【図１８】同自動販売機の商品取出口装置の側面断面図で、商品を商品取出口から取り出す状態を示す。
【図１９】従来の自動販売機の全体側面断面図である。
【図２０】同従来の自動販売機の商品取出口装置（外開き式）の側面断面図で、取出口扉を閉鎖した状態を示す。
【図２１】同従来の自動販売機の商品取出口装置の側面断面図で、商品が商品取出口に払い出される状態を示す。
【図２２】同従来の自動販売機の商品取出口装置の側面断面図で、商品取出口に手を差し込んだ状態を示す。
【図２３】同従来の自動販売機の商品取出口装置（内開き式）の側面断面図で、取出口扉を閉鎖した状態を示す。
【図２４】同従来の自動販売機の商品取出口装置の側面断面図で、商品が商品取出口に払い出された状態を示す。
【図２５】同従来の自動販売機の商品取出口装置の側面断面図で、商品が取出口扉と商品取出口の後面底部近傍箇所との間で突っ張った状態で挟まれた状態を示す。
【図２６】同従来の防盗板を有する自動販売機の商品取出口装置の側面断面図で、商品が取出口扉と商品取出口の後面底部近傍箇所との間で突っ張った状態で挟まれた状態を示す。
【符号の説明】
【００６５】
１      外扉
２      自動販売機本体
３      内扉
４      庫内
６      商品
８      商品取出口
８ｋ    商品取出口の前面開口部
９      商品排出口
１０    排出口扉
１２    防盗板
２０    取出口扉
２１    回動軸
２２    扉基部
２３    扉先端側部
２４    補助回転軸
２５    防盗板の回転支点
２６    ストッパ
４０    扉先端側部本体
４１    隙間
４２    補助板
【図１】
2007141201.tif 000003
【図２】
2007141201.tif 000004
【図３】
2007141201.tif 000005
【図４】
2007141201.tif 000006
【図５】
2007141201.tif 000007
【図６】
2007141201.tif 000008
【図７】
2007141201.tif 000009
【図８】
2007141201.tif 000010
【図９】
2007141201.tif 000011
【図１０】
2007141201.tif 000012
【図１１】
2007141201.tif 000013
【図１２】
2007141201.tif 000014
【図１３】
2007141201.tif 000015
【図１４】
2007141201.tif 000016
【図１５】
2007141201.tif 000017
【図１６】
2007141201.tif 000018
【図１７】
2007141201.tif 000019
【図１８】
2007141201.tif 000020
【図１９】
2007141201.tif 000021
【図２０】
2007141201.tif 000022
【図２１】
2007141201.tif 000023
【図２２】
2007141201.tif 000024
【図２３】
2007141201.tif 000025
【図２４】
2007141201.tif 000026
【図２５】
2007141201.tif 000027
【図２６】
2007141201.tif 000028